【事件の表示】
　特願２００４−５３９２９３「携帯型コンピュータ装置」拒絶査定不服審判事件〔平成１６年　４月　８日国際公開、ＷＯ２００４／０２９７８７、平成１８年　１月　５日国内公表、特表２００６−５００６７８〕について、次のとおり審決する。
【結　論】
　本件審判の請求は、成り立たない。
【理　由】
１．手続の経緯・本願発明
　本願は、２００３年９月１２日（パリ条約優先権主張、２００２年９月２８日、英国）を国際出願日とする出願であって、平成２１年８月１０日付けで拒絶査定がなされ、これに対して平成２１年１２月１８日に拒絶査定に対する審判が請求されるとともに、同日付けで手続補正がなされたものである。
　本願の請求項１に係る発明は、平成２１年１２月１８日付け手続補正書により補正された明細書及び図面の記載からみて、特許請求の範囲の請求項１に記載された事項により特定される次のとおりのもの（以下「本願発明」という。）である。
「データ入力と、
　制御入力と、
　前記データ入力を介しデータを受付け、時間及び位置情報が存在するか判断し、時間及び/または位置情報を時間及び/または位置情報を有さないデータアイテムにそれぞれ追加し、各自の時間及び位置情報と共にデータアイテムをメモリに格納するよう構成されるデータ受付論理と、
　時間モードと空間モードを含む複数のモードの１つにおいて前記メモリに格納されたデータアイテムを含むデータアイテムを表示させるよう構成される表示構成と、
を有する携帯型コンピュータ装置であって、
前記表示構成は、
　前記制御入力を介した対応する入力に応答して、前記時間モードと前記空間モードとの間の切り替えをし、
　前記時間モードでは、時間間隔の表示を、前記時間間隔における各データアイテムの時間情報を有し、前記時間情報に対応する位置に表示される前記データアイテムの表示と共に表示し、
　空間モードでは、表示領域の表示を、前記表示領域内の各データアイテムの位置情報を有し、前記位置情報に対応する位置に表示される前記データアイテムの表示と共に表示するよう構成され、
　当該装置はさらに、前記時間モードと前記空間モードとの間の切替において表示され続けるデータアイテムを選択するコントロールを有することを特徴とする装置。」
　
２．引用刊行物
　これに対して原査定の拒絶の理由に引用された、本願の優先日前に頒布された刊行物「特開２００１−３４４５９１」（以下、「引用刊行物１」という。）には図面とともに以下の記載がある。
「【請求項５】  画像記憶手段と、
地名記憶手段と、
位置情報取得手段を持つ撮影手段により撮影された画像データ、および前記画像データの撮影時に同時に記録された撮影時刻情報と撮影位置情報とを読み取り、前記読み取った画像データ、撮影時刻情報、および撮影位置情報を前記画像記憶手段に記憶する読取手段と、
前記地名記憶手段から前記画像データが撮影された撮影場所を含む領域のデータを読み出し、経度をＸ軸、緯度をＹ軸、撮影時間をＺ軸とする３次元の時空間を作成し、当該３次元の時空間内に、前記撮影位置情報および撮影時刻情報に基づいて、前記画像データのサムネイル画像を配置する表示手段とを有することを特徴とする画像管理・表示装置。
【請求項６】  前記表示手段は、前記配置されたサムネイル画像、および前記配置されたサムネイル画像に対応するＸ−Ｙ平面上の撮影位置点を撮影された順番に矢印で結んで撮影行程を表示することを特徴とする請求項５に記載の画像管理・表示装置。
【請求項７】  前記読取手段は、前記撮影位置情報に基づき、前記撮影位置情報に対応する地名情報を前記地名記憶手段から読み出し、
当該地名情報を前記画像記憶手段に記憶するとともに、当該地名情報を前記画像データに付与することを特徴とする請求項５または請求項６に記載の画像管理・表示装置。
【請求項８】  前記表示手段は、前記画像データに付与された前記地名情報、および前記撮影時間情報を基に、撮影行程を表すスケジュール表を作成することを特徴とする請求項７に記載の画像管理・表示装置。」（第２頁）
　
「【０００１】
【発明の属する技術分野】本発明は、画像管理・表示方法、および画像管理・表示装置、並びに記録媒体に係わり、特に、ＧＰＳ等の撮影場所の位置取得手段を持つ撮影手段（例えば、デジタルカメラ）により、撮影された画像データや、映像データの管理システムで、画像データを位置情報や撮影時間に基づいて、表示・加工する際に有効な技術に関する。
【０００２】
【従来の技術】ＧＰＳ装置、ＰＨＳ等が接続、または内蔵されたデジタルカメラでは、撮影された画像データ内に位置情報を記録することが可能である。このような情報を有効利用したり、各社メーカーのデジタルカメラで記憶された画像ファイルを相互に利用しあうための規格として、デジタルカメラファイルシステム規格ＤＣＦ（Design rule for Camera File system）が制定されている。この中には、撮影状況を記述できるＥｘｉｆＩＤＦ、撮影位置情報を記述できるＧＰＳＩＤＦ等が定義されており、例えば、下記（１）、（２）に示すような情報を画像ファイル内に所定のフォーマットで書き込むことができる。
【０００３】（１）ＥｘｉｆＩＤＦ：撮影状況
例えば、撮影時間、機器情報、レンズ情報、撮影設定（絞り値、光源、シャッタースピード、フラッシュなど）情報など
（２）ＧＰＳＩＤＦ：おもに撮影時の位置情報
例えば、撮影時刻、位置情報（経度、経度、高度）など
前記したような情報を持つ画像を再生する方法として、例えば、特開平１０−２３３９８５号公報（発明の名称；画像再生方法及び画像データ管理方法）に記載されているように、２次元の電子地図上の該当撮影位置にサムネイル画像を配置する方法が提案されている。この方法では、より撮影行程を分かりやすくするために、撮影時刻順に線でつなぐ等の工夫が行なわれている。」（第２〜３頁）
　
「【０００７】
【課題を解決するための手段】本願において開示される発明のうち、代表的なものの概要を簡単に説明すれば、下記の通りである。即ち、本発明は、画像管理・表示方法であって、位置情報取得手段を持つ撮影手段により撮影された画像データ、および、前記画像データの撮影時に同時に記録された撮影時刻情報と撮影位置情報とを読み取る過程１と、前記読み取った画像データ、撮影時刻情報、および撮影位置情報を画像記憶手段に記憶する過程２と、地名記憶手段から前記画像データが撮影された撮影場所を含む領域のデータを読み出す過程３と、経度をＸ軸、緯度をＹ軸、撮影時間をＺ軸とする３次元の時空間地図を作成する過程４と、前記３次元の時空間地図内に、前記撮影位置情報および撮影時刻情報に基づいて、前記画像データのサムネイル画像を配置する過程５とを有することを特徴とする。」（第３頁）
　
「【００１４】
【発明の実施の形態】以下、図面を参照して本発明の実施の形態を詳細に説明する。なお、実施の形態を説明するための全図において、同一機能を有するものは同一符号を付け、その繰り返しの説明は省略する。初めに、本実施の形態の画像データのデータベース登録について説明する。図１は、本発明の実施の形態の画像管理・表示装置の全体構成を示すブロック図である。撮影位置取得手段を持つ撮影手段（例えば、デジタルカメラ）により撮影された画像ファイル３０は、画像管理・表示装置２０の画像データベース作成部２１に入力される。画像データベース作成部２１は、画像ファイル内に記憶されている画像データの撮影状況を表示したＥｘｉｆＩＦＤ情報や、撮影位置情報（ＧＰＳを撮影位置取得に用いた場合は、ＧＰＳＩＦＤ情報）を解析し、画像データベース２３を作成する。
【００１５】図２は、図１に示す画像データベース２３に登録される登録情報の一例を示す図である。画像データベース２３に登録する画像データは、同一ファイル名の画像データの存在を考慮し、固有ＩＤ（識別番号）を用いて管理する。図２に示す例では、登録情報は、固有ＩＤ（１）、画像ファイル名（２）、画像保存場所（３）、Ｘ軸画像サイズ（４）、Ｙ軸画像サイズ（５）、Ｘ軸解像度（６）、Ｙ軸解像度（７）、撮影時刻（８）、位置情報（緯度）（９）、位置情報（経度）（１０）、位置情報（住所、ランドマーク名）（１１）、位置情報（リンク情報）（１２）、ユーザ追加コメント（１３）から構成される。
【００１６】本実施の形態では、位置情報（住所、ランドマーク名）（１１）の情報を登録する場合は、図ｌに示すように、位置情報（緯度、経度）（９，１０）から地図データベース２２を参照し、住所等に変換する。また、地図データベース２２が、該当位置に関するリンク情報をもつ場合は、位置情報（リンク情報）（１２）にその情報を書き込む。ユーザ追加コメント１３には、利用者が画像表示ビューアー上で付加したい情報を書き込み入力する。なお、この画像データベース２３には、Ｅｘｉｆ規格で定義されている機器情報（メーカー名、モデル名）、レンズ情報（レンズ最小Ｆ値、レンズ焦点距離）、撮影状況（絞り値、シャッタースピード、フラッシュ）などを登録対象としてもよい。また、位置情報の取得方法は、ＰＨＳ、センサーなどＧＰＳ以外のものであってもよく、それぞれの位置情報のフォーマットに応じて、位置情報（緯度、経度）（９，１０）を変更すればよい。
【００１７】次に、本実施の形態の画像ファイルへの情報追加処理について説明する。本実施の形態では、地図データベース２２に、位置（緯度／経度）情報を入力することにより、画像ファイル内には記述されていない位置情報（住所、ランドマーク名）（１１）、位置情報（リンク情報）（１２）、ユーザ追加コメント（１３）が、画像データベース２３に登録された場合は、それと同時に所定のフォーマットにしたがって画像ファイル内にも同じ住所情報等を書き込む。図３は、画像ファイルへデータを追加する際の、画像データベース作成部２１の処理手順を示すフローチャートである。画像ファイルへデータを追加する際に、画像データベース作成部２１は、画像ファイルに位置情報（住所、ランドマーク名）（１１）を、所定のフォーマットにしたがって追加し（ステップ１０１）、次に、位置情報（リンク情報）（１２）、あるいは、ユーザ追加コメント（１３）が存在するか否かを判断し（ステップ１０２、１０３）、位置情報（リンク情報）（１２）、あるいは、ユーザ追加コメント（１３）が存在する場合には、当該情報を所定のフォーマットにしたがって、画像ファイルに追加する（ステップ１０４、１０５）。この情報が追加された画像ファイルは、画像データベース２３から取り出し、別の端末でも使用（閲覧）できる。これにより、特定の表示ビューアーを用いれば画像データベース２３を参照しなくても画像単体でも各種情報を閲覧できるようになる。
【００１８】次に、本実施の形態の時空間スパイラルビュー表示について説明する。図４は、表示部２４の処理手順を示すフローチャートである。表示部２４は、画像データベース２３に登録された画像データが入力されると（ステップ１１１）、画像一覧表示画面にサムネイル画像を表示する（ステップ１１２）。次に、固有ＩＤがＮＵＬＬな状態か否かを判断し（ステップ１１３）、固有ＩＤ＝ＮＵＬＬな状態になるまで、つまり、登録画像データが全て描画されるまで各画像のサムネイル表示を行ない、それ以降はユーザの選択（ユーザアクション）に基づいた表示法でビューを構成する。次に、ユーザアクション（ユーザの選択）による表示法が、時空間スパイラルビュー表示か否かを判断し（ステップ１１４）、ステップ１１４でのユーザアクションが、時空間スパイラルビュー表示でない場合には、一覧画像表示の中から１枚の画像を選択し、当該選択された画像を拡大表示し（ステップ１１５）、当該画像の撮影情報を表示する（ステップ１１６）。
【００１９】ステップ１１４でのユーザアクションが、時空間スパイラルビュー表示である場合には、一覧画像表示の中から１枚以上の画像を選択し、選択された画像の緯度／経度情報から算出できる地図の表示範囲、撮影時間幅を算出する（ステップ１１７）。次に、単位時間当たりの撮影画像枚数差が大きいか否かを判断し（ステップ１１８）、単位時間当たりの撮影画像枚数差が小さい場合には、Ｚ軸の単位時間当たりの目盛り幅を一定とし（ステップ１１９）、単位時間当たりの撮影画像枚数差が大きい場合には、Ｚ軸の単位時間当たりの目盛り幅を変動する（ステップ１２０）。次に、地図データを読み込み（ステップ１２１）、時空間電子地図を表示する（ステップ１２２）。次に、サムネイル画像の配置場所を計算し（ステップ１２３）、サムネイル画像を配置する（ステップ１２４）。ステップ１２３、ステップ１２４を該当枚数分繰り返した後、撮影行程順序線を描画する（ステップ１２５）。
【００２０】図５は、本実施の形態の時空間スパイラルビュー表示法の一例を示す図であり、このようなビュー表示がユーザに提示される。サムネイル画像が重なる場合は、撮影時間が早い方を前面表示（あるいは後面表示）するといった規則にしたがい配置する。このとき、ほとんど同一の画像が連続して表示される場合など、ユーザが表示不必要だと思う画像がある場合は、ユーザの指定により、選択画像を非表示にしてビューを再構成してもよい。時空間を別の角度から見たい場合は、Ｚ軸を中心軸とし、例えば、図５中の点Ｃをマウス操作で移動させることで、角度θを変更し空間を回転させる。図６は、図５に示す例に、撮影行程順序線を描画した例を示す図である。図６に示すように、各サムネイル画像を撮影された順番に線で結ぶことで、ユーザは撮影行程がより理解しやすくなる。なお、サムネイル画像が集中している場合は、撮影行程線を省略してもよい。この時、時空間スパイラルビューを拡大、縮小、回転してみられるように数パターンの縮尺をもつ電子地図を予め用意しておく。これらの電子地図画像の中から、前述の方法で求められる撮影範囲の表示範囲をすべて包含するよう縮尺の地図を選択し、Ｘ−Ｙ平面を構成する。」（第４〜６頁）
　
「【００２４】次に、本実施の形態のスケジュール表作成支援について説明する。本実施の形態では、画像ファイル入力時に作成された画像データベース２３の撮影時刻（８）と位置情報（住所、ランドマーク名）（１１）から自動的に撮影行程を示すスケジュール表を作成することができる。ユーザの希望がある場合は、データ修正やコメント追加したり出力ファイルを作成したりして、撮影者の行動記録を整理してもよい。図９は、図５、図６と同一データを用いてスケジュール表示を行なった一例を示す図である。なお、図９では、図５、図６の横に並べてわかりやすく閲覧できるように時間経過が下から上に向かって表記されているが、どのような方向で表示しても構わない。このビューは、実際に、スケジュール表としてユーザに提示される。」（第６頁）
　
「【００２６】なお、前述の実施の形態において、図１に示す画像管理・表示装置２０の機能を実現するためのプログラムをコンピュータ読み取り可能な記録媒体に記録し、コンピュータシステムにおいて、この記録媒体に記録されたプログラムを読み込み、実行することにより、前述の画像データベース作成部２１および表示部２４の処理を実行するようにしてもよい。なお、ここでいう「コンピュータシステム」とは、ＯＳや周辺機器などのハードウェアを含むものとする。また、「コンピュータ読み取り可能な記録媒体」とは、フロッピー（登録商標）ディスク、光磁気ディスク、ＲＯＭ、ＣＤ−ＲＯＭなどの可搬媒体、コンピュータシステムに内蔵されるハードディスク等の記録装置をいう。以上、本発明者によってなされた発明を、前記実施の形態に基づき具体的に説明したが、本発明は、前記実施の形態に限定されるものではなく、その要旨を逸脱しない範囲において種々変更可能であることは勿論である。」（第６頁）
　
「【００２７】
【発明の効果】本願において開示される発明のうち代表的なものによって得られる効果を簡単に説明すれば、下記の通りである。
（１）本発明によれば、位置情報取得手段付き撮影手段により撮影された画像を自動的にデータベース登録することができるので、画像管理にかかる手間を軽減することが可能となる。
（２）本発明によれば、撮影した画像を撮影時間軸を取り入れた時空間電子地図内に表示することできるので、撮影行程を理解しやすく、また、忘れがちな行動記憶を呼び起こす手助けとなる。
（３）本発明によれば、スケジュール表（アルバム）を容易に作成することが可能となる。」（第６頁）
　
「【図９】本発明の実施の形態において、図５、図６と同一データを用いてスケジュール表表示を行なった一例を示す図である。」（第７頁）
　
　図１の記載について
　画像管理・表示装置の全体構成を示す図１の右下部に記載された「表示部」には、「・画像一覧表示、・スパイラルニュー表示、・スケジュール表示、・データ変更画面　等」と記載され、「ユーザ」が「表示法指定」を行うことが記載されている。
　
　図９の記載について
　スケジュール表示例を示す図９には、縦軸上に撮影時間（１０：００、１２：００、１４：００、１６：００）が記載されている。
　
　なお、上記、図９に記載された縦軸上には撮影時間（１０：００、１２：００、１４：００、１６：００）の表示がなされており、図９の縦軸は時間の目盛りを有する時間軸であるということができる。
　　
　これら引用刊行物１の記載から、引用刊行物１には以下の発明（以下、「引用発明」という。）が記載されているものと認められる。
「表示部を有するコンピュータシステム（画像管理・表示装置）に画像ファイルが入力され、入力された画像ファイルは解析されて、当該画像ファイルの位置情報（経度・緯度）及び撮影時間情報とともに、画像データベースに登録され、
　ユーザアクション（ユーザの選択）による表示法でビューが構成され、ユーザアクション（ユーザの選択）が時空間スパイラルビュー表示である場合、選択された各画像ファイルのサムネイル画像を、それぞれ、当該画像ファイルの位置（経度・緯度）情報及び撮影時間情報に基づいて、地図（Ｘ、Ｙ軸）、時間（Ｚ軸）からなる時空間内に配置して表示し、
　また、ユーザの指示により時空間スパイラルビューで表示された画像ファイルのサムネイル画像を目盛りを有する時間軸とともに、当該画像ファイルの時間情報に対応する位置に配置してスケジュール表を表示する、コンピュータシステム。」
　
　同じく、原査定の拒絶の理由に引用された、本願の優先日前に頒布された刊行物「特開２００１−２９７０９０号公報」（以下、「引用刊行物２」という。）には図面とともに以下の記載がある。
「【００５１】
【発明の実施の形態】以下、本発明による実施の形態を、図面を参照して説明する。図１は、本実施の形態にかかるデータ検索装置を示す図である。パソコンであって良いデータ検索装置は、大容量の記憶装置を備えた本体１と、ディスプレイである表示装置２と、キーボードである入力装置３と、画像をプリント可能なプリンタ４とを備えている。例えば、データ検索方法を実行するためのプログラムを格納した記憶媒体ＣＤが、本体１の読取部１ａに挿入されると、かかるプログラムが本体１のメモリに読み出されて実行されるようになっている。本体１は、インターネットなどのネットワークＮを介して外部サーバＳに通信出来る通信装置を内蔵している。尚、本体１が画像編集装置を構成し、本体１、或いはこれとサーバＳがデータ検索システムを構成する。
【００５２】記憶手段である本体１のハードディスク（不図示）内には、膨大な量の画像データがデータベース化されて記憶されている。各画像データには、その特徴量が対応づけられる形でそれぞれ記憶されている。ここで、特徴量とは、画像の取得日時、画像の登録日時、撮影場所、撮影された被写体の名称、撮影が行われたイベント名称などをいい、画像に対応づけてテキストデータで記憶されることが考えられるが、これに限られない。また、画像の取得日時とは、写真の画像をデジタイズする場合には、デジタイズした日時ではなく、写真が撮影された日時とすると良い。かかる日時は、例えば写真に写し込まれた日時を、ＯＣＲ機能などでテキストデータに変換して記憶すれば、画像登録時における入力の手間がかからない。」（第６〜７頁）
　
「【００６８】図３（ａ）においては、表示画面２ａに、画像の撮影日時を横軸に、画像数を縦軸にとって、それらの関係を示す情報がグラフで示されている。かかるグラフを見れば、例えばある時期に、集中して画像が撮影されていれば、運動会や結婚式などのイベントがあったと推測できるので、画像を検索する場合の一つの手がかりになりうる。なお、表示画面下方のスクロールバーＳＢを移動させれば、任意の撮影日時を表示できる。また、スクロールバーの目盛りに、西暦（或いは年齢でも良い）を表示しているので、これをみた検索者が時間の指定が容易に出来る。また、かかる表示が最初の画像取得日時と最後の画像取得日時を含めるようにすれば、検索者が、検索可能な期間を知ることが出来て便利である。
【００６９】図３（ｂ）においては、表示画面２ａに、地図と画像の取得場所（×印）とが表示されており、検索者がこの表示を見れば、画像を撮影したのが、海であるのか山であるのかといった記憶を頼りに画像を検索する場合に一つの手がかりになりうる。図３（ａ）、図３（ｂ）の画像表示の選択は、入力装置３を介して適宜行える。
【００７０】又、これらの表示画面から、画像を検索できると良い。例えば時間軸の一点を、マウスやカーソル（不図示）などでクリックして入力すると、その時点及びその前後に撮影された画像が検索され、地図上の一点を同様に入力すると、その場所及びその周囲で撮影された画像が検索されることが考えられる。」（第８頁）
　
　同じく、原査定の拒絶の理由に引用された、本願の優先日前に頒布された刊行物「特開２００２−１２３８１４」（以下、「引用刊行物３」という。）には図面とともに以下の記載がある。
「【０００１】
【発明の属する技術分野】本発明は、情報処理装置、情報処理方法、プログラム格納媒体及びプログラムに係り、特に保存している画像データを、地図と関連させて変化に富んだ表示とすることによって、見る者に楽しくさせることができる、情報処理装置、情報処理方法、プログラム格納媒体及びプログラムに関する。
【０００２】
【従来の技術】デジタルデータとして保存されている写真画像を管理する技術として、地図データと写真データを組み合わせたものが知られている。例えば、コンピュータ等の装置に、地図上の位置と撮影した写真画像を関連付けて記憶させ、コンピュータ等の装置に設けられた表示装置の画面で、地図を表示させ、この地図上において写真を撮影した点を指定した場合、指定した地点で撮影された写真画像がその指定した点の付近に縮小画像（以下サムネイルアイコンと記載する）として表示させる技術である。
【０００３】そして、画像データを示すサムネイルアイコンと、地図上の位置を示す位置アイコンを対応させて表示させ、ある位置アイコンが選択された場合、それに対応するサムネイルアイコンを表示させ、あるサムネイルアイコンが選択された場合は、それに対応する位置アイコンが表示されることにより、多量の画像データを容易に管理し、わかりやすく表示するものである。」（第４頁）
　
「【０１１８】次に、図９で示す画像データ・位置情報データ・時刻情報データの登録処理のフローチャートを参照して、画像・位置情報・撮影時刻データベース１１４に、画像データおよび各画像データに対応する位置情報・時刻情報が登録される処理について説明する。
【０１１９】はじめに、写真画像管理ソフトウェアを起動させる命令が入力された場合、ＣＰＵ５１は、ＨＤＤ６７に保存されている写真画像管理ソフトウェアを、ＲＡＭ５４にロードして実行する。起動させる命令の入力は、例えば、ユーザがＬＣＤ７に表示されている写真画像管理ソフトウェアの起動を示すアイコンを、キーボード５もしくはタッチパッド６を用いて選択することなどによって行う。
【０１２０】写真画像管理ソフトウェアが起動されると、ステップＳ１において、図１０乃至図１２に示されるフィルムィンドウ１５１および地図ウィンドウ１５２が、ノースブリッジ５８、ＡＧＰ５０、およびビデオコントローラ５７を介して、ＬＣＤ７に表示される。表示画面には、モード選択ボタン１７１が表示され、何れかの選択が可能となる。この時、全くデータが登録されない初期状態の場合に限り、登録モードのみ、選択可能となる。
【０１２１】ステップ２では、ステップＳ１で表示されるフィルムィンドウ１５１および地図ウィンドウ１５２中、モード選択ボタンの何れかが選択されたか判断される。ここでは、ステップＳ２において、登録モードか否かを判断した例を示している。
【０１２２】つまり、ＣＰＵ５１は、エンベデットコントローラ６８、ＩＳＡ／ＥＩＯバス６３、サウスブリッジ５８、ＰＣＩバス５６、ノースブリッジ５３、およびホストバス５２を介して入力される信号に基づいて、図１０乃至図１２に示されるモード選択ボタン１７１のうち登録モードを示すボタンが選択されたか否か、が判断される。
【０１２３】ステップＳ２において、登録モードと判断されない場合（ステップＳ２：ＮＯ）、処理Ａ（表示モード処理：図１３参照）へ進む。
【０１２４】一方、ステップＳ２において、登録モードと判断された場合（ステップＳ２：ＹＥＳ）、フィルムウィンドウ１５１にアイコンが表示される。そして、アイコンのうちの何れか１つを選択する。
【０１２５】フィルムウィンドウ１５１に表示される所定数のアイコンは、位置情報データ・時刻情報データが登録されていないものが優先的に先頭表示される。このようなアイコンは、白紙アイコンとして表示される。また、カメラマーク表示されたアイコン上に、例えば「ｎｏ  ｐｉｃｔｕｒｅ」と表示されたものは、画像データが未登録で、位置情報データ・時刻情報データは登録済のアイコンを示す。ここで、全くデータが登録されない初期状態の場合に限り、アイコンは、白紙アイコンとともに、「ｎｏ  ｐｉｃｔｕｒｅ」と表示されることになる。
【０１２６】ステップＳ３において、サムネイルアイコン入力インターフェース１２６では、ユーザによってタッチパット６もしくはキーボード５を用いて選択されたアイコンが、ＰＣＩバス５６を介して入力されるアイコンデータの信号に基づいて、画像データが既に登録されているのか、否かが判断される。
【０１２７】ステップＳ３において、選択されたアイコンに、画像データが未登録の場合（ステップＳ３：ＮＯ）、ステップＳ４において、このアイコンに対応させたい（すなわちサムネイルアイコンとなる）画像データが取り込まれる。
【０１２８】つまり、ステップＳ４において、ＣＰＵ５１は、ＣＣＤビデオカメラ１０２などによって撮影された画像データを、ビデオコントローラ５７、ＰＣＩバス５６、サウスブリッジ５８、およびＩＤＥバス６２を介してＨＤＤ６７に取り込む。撮像されたとき、ＵＳＢポートにＧＰＳアンテナ１０８が接続されていれば、ＧＰＳアンテナ１０８によりＧＰＳ衛星からの電波が受信され、現在位置データが画像データと同時に入力される。
【０１２９】また、ＵＳＢインターフェース１０６は、ＧＰＳアンテナ１０８およびＵＳＢポートを介して、ＧＰＳ衛星から受信された現在位置データ（緯度データ、経度データおよび高度データ）をＰＣＩバス５６、ノースブリッジ５３、およびホストバス５２を介して出力するので、画像データとともに、現在位置データもＨＤＤ６７に記録することができる。
【０１３０】また、ＣＣＤビデオカメラ１０２以外の撮影装置によって撮影された画像や、既に画像データがファイルになっている場合など、をコンピュータ１へ入力するために、コンピュータ１とその他撮影装置が接続され、或いはファイルとして存在する画像データを、ステップＳ４において、画像データのみが取り込まれるようにしても良い。
【０１３１】ステップＳ４で、画像データが取り込まれたアイコンに対応して、ステップＳ５においてサムネイルＩＤが交付され、サムネイルアイコンとしている。ここでのサムネイルＩＤの交付は自動的に行われる。新規にユーザＩＤが交付される際には、ユーザに対し、「ユーザＩＤを交付します」等の、ユーザＩＤ交付を告げるメッセージを表示するようにしても良い。また、既に、サムネイルアイコンと関連付けられて、位置情報データ・時刻情報データが登録されている場合、サムネイルＩＤは交付されていることになる。
【０１３２】さらにステップＳ５によって、サムネイルアイコンに対応した画像データ及びサムネイルＩＤは、画像・位置情報・撮影時刻データベース１１４へ格納される。
【０１３３】次に、ステップＳ６では、サムネイルＩＤをキーとして、画像・位置情報・撮影時刻データベース１１４内の情報データが検索され、画像データをもつサムネイルアイコンに対応した位置情報データ・時刻情報データがあるか否かが判断される。
【０１３４】同様に、前記したステップＳ３で、画像データが登録されたサムネイルアイコンが選択された場合（ステップＳ３：ＹＥＳ）に、ステップＳ６へと進み、画像データをもつサムネイルアイコンに対応した位置情報データ・時刻情報データがあるか否かが判断される。
【０１３５】ステップＳ６において、サムネイルアイコンに対応した位置情報データ・時刻情報データが登録されていないと判断された場合（ステップＳ６：ＮＯ）、サムネイルアイコンに対応させる位置情報データ・時刻情報データを登録するために、ステップＳ７において、コンピュータ１に位置情報データ・時刻情報データが取り込まれる。
【０１３６】ここで、位置アイコンに対し、位置情報データ・時刻情報データの登録が幾つか完了されている場合には、地図ウィンドウに地図画像が表示されている。
【０１３７】その際には、位置情報データ・時刻情報データが登録されるために、データ入出力制御部１１５では、画像・位置情報・撮影時刻データベース１１４から、「位置情報時刻情報を登録して下さい」という表示メッセージが読み出される。メッセージデータは、ノースブリッジ５３、ＡＧＰ５０、およびビデオコントローラ５７を介して、ＬＣＤ７に出力され、図１０に示されるように、メッセージ表示部１７２にメッセージが表示される。また図１０に示されるように、ユーザによって選択されたサムネイルアイコン１６３は、ハイライト表示される。
【０１３８】ユーザが、表示メッセージを参照して、マウスカーソル１６７によって選択されたサムネイルアイコン１６３をドラッグし、地図ウィンドウ１５２上の所望の位置もしくは位置アイコンに移動してドロップした場合、そのドロップ位置を示す信号が、アイコン選択インターフェースに入力される。
【０１３９】このように、位置アイコン選択インターフェース１２３に入力されたデータから、撮影場所の位置情報データ・時刻情報データが求められる。選択されたサムネイルアイコン１６３に対応する位置情報データ・時刻情報データは、画像・位置情報・撮影時刻データベース１１４に登録される。
【０１４０】なお、位置情報・時刻情報の取り込みについては、ステップＳ７において、タイマ回路６０からＩＤＥバス６２を介して、ＨＤＤ６７に撮影日および時刻を読み込ませるようにしても良い。
【０１４１】また、その他のＧＰＳ装置によって登録された位置情報・時刻情報をその他ＧＰＳ装置が接続して、位置情報データ・時刻情報データが取り込まれるようにしても良い。
【０１４２】このようにステップＳ７において、サムネイルアイコンに対応した位置情報・時刻情報は取り込まれ、画像・位置情報・撮影時刻データベース１１４へ格納される。」（第１４〜１５頁）
　
３．対比
　本願発明と引用発明を対比すると、
　引用発明の「コンピュータシステム」は、本願発明の「携帯型コンピュータ装置」と「コンピュータ装置」である点で一致する。
　引用発明の「位置（経度・緯度）情報」及び「撮影時間情報」は、それぞれ、本願発明の「位置情報」及び「時間情報」に相当する。
　引用発明の「画像ファイル」は本願発明の「データアイテム」に相当する。そして、本願明細書の段落【０００９】には、データアイテムの表示は、当該データアイテムに対応するアイコンを利用するようにしてもよく、画像や動画データアイテムでは、アイコンは画像または動画の一部または全体であってもよいと記載されているから、引用発明の画像ファイルの「サムネイル画像」は、本願発明の「データアイテムの表示」に相当する。
　引用発明は、表示部を有するコンピュータシステム（画像管理・表示装置）に画像ファイルが入力され、入力された画像ファイルは解析されて、当該画像ファイルの位置情報（経度・緯度）及び撮影時間情報とともに、画像データベースに登録されているところ、画像データベースが記憶手段に設けられることは当然のことであるから、引用発明は、本願発明の「メモリ」に対応する「記憶手段」を有しているということができる。そして引用発明は、本願発明と同様に、データ入力を有してデータ入力を介しデータを受付け、各自の時間及び位置情報と共にデータアイテムを記憶手段に格納するよう構成されるデータ受付論理を有しているということができる。
　引用発明のスケジュール表は、画像ファイルのサムネイル画像を目盛りを有する時間軸とともに、当該画像ファイルの時間情報に対応する位置に配置して表示するものであるから、本願発明の「時間モード」に相当する。
　引用発明の「時空間スパイラルビュー表示」は、画像ファイルのサムネイル画像を、当該画像ファイルの位置（経度・緯度）情報及び撮影時間情報に基づいて、地図（Ｘ、Ｙ軸）、時間（Ｚ軸）からなる空間上に配置して表示しており、本願発明の「空間モード」とは、「時間モード」と異なる「他のモード」である点で共通する。
　
　したがって、両者は
「データ入力と、
　制御入力と、
　前記データ入力を介しデータを受付け、各自の時間及び位置情報と共にデータアイテムを記憶手段に格納するよう構成されるデータ受付論理と、
　時間モードと他のモードを含む複数のモードの１つにおいて前記記憶手段に格納されたデータアイテムを含むデータアイテムを表示させるよう構成される表示構成と、
を有するコンピュータ装置であって、
前記表示構成は、
　前記時間モードでは、時間間隔の表示を、前記時間間隔における各データアイテムの時間情報を有し、前記時間情報に対応する位置に表示される前記データアイテムの表示と共に表示し、
　他のモードでは、表示領域の表示を、前記表示領域内の各データアイテムの位置情報を有し、前記位置情報に対応する位置に表示される前記データアイテムの表示と共に表示するよう構成された、
　装置。」の点で一致し、以下の点で相違する。
　
相違点１
　本願発明のデータ受け付け論理は、データ入力を介しデータを受付け、時間及び位置情報が存在するか判断し、時間及び/または位置情報を時間及び/または位置情報を有さないデータアイテムにそれぞれ追加するのに対し、引用発明のデータ受け付け論理は、データ入力を介しデータを受付けているが、時間及び位置情報が存在するか判断し、時間及び/または位置情報を時間及び/または位置情報を有さないデータアイテムにそれぞれ追加することについて記載がない点。
　
相違点２
　本願発明の記憶手段はメモリであるのに対して、引用発明の記憶手段はメモリであるのかどうか明らかではない点。
　
相違点３
　本願発明では、他のモードは空間モードであるのに対し、引用発明の他のモードでは、データアイテムの表示は、データファイルの位置情報及び時間情報に基づいて、地図（Ｘ、Ｙ軸）、時間（Ｚ軸）からなる時空間内に配置して表示される点。
　
相違点４
　本願発明では、前記制御入力を介した対応する入力に応答して、前記時間モードと前記他のモードとの間の切り替えを行っているのに対して、引用発明では、時間モードと他のモードとの間の切り替えについて記載がない点。
　
相違点５
　本願発明の装置は、前記時間モードと前記空間モードとの間の切替において表示され続けるデータアイテムを選択するコントロールを有するのに対し、引用発明の装置は、時間モードと他のモードとの間の切替において表示され続けるデータアイテムを選択するコントロールを有するのかどうか明らかではない点。
　
相違点６
　本願発明のコンピュータ装置は、携帯型コンピュータ装置であるのに対し、引用発明のコンピュータ装置は、携帯型であるのかどうか明らかではない点。
　
４．当審の判断
　以下、上記相違点について検討する。
相違点１について
　引用発明と同様に、時間情報、位置情報を含むことのできるデータを入力し、当該データを時間情報、位置情報に関連づけて表示するコンピュータにおいて、当該データを入力した場合に、時間情報、位置情報の有無を判断して、それらの情報がない場合に、時間情報、位置情報を付加することが引用刊行物３に記載されており、引用発明のデータ受け付け論理を、時間及び位置情報が存在するか判断し、時間及び/または位置情報を時間及び/または位置情報を有さないデータアイテムにそれぞれ追加するように構成することは当業者が容易になし得ることである。
　
相違点２について
　コンピュータ装置において記憶手段をメモリとすることは周知であって格別のことではないから、引用発明の記憶手段をメモリとすることは当業者が適宜になし得ることである。
　
相違点３、相違点４について
　引用発明の他のモードでは、データアイテムの表示は、データアイテムの位置情報及び時間情報に基づいて、地図（Ｘ、Ｙ軸）、時間（Ｚ軸）からなる時空間内に配置して表示されているが、データアイテムの位置情報に基づいて、地図（Ｘ、Ｙ軸）上にデータアイテムを表示するという観点では、時間軸をも含むとはいえ、本願発明の「空間モード」と同様の表示方法も含むものである。そして、引用刊行物１（段落【０００３】）、引用刊行物３（段落【０００２】〜【０００３】）に従来技術として記載されているように、データを空間モードで表示することは周知であり、また、引用刊行物２（段落【００６８】〜【００６９】）には、画像の撮影日時の情報に基づいて画像の存在を表示すること（配置の態様は、本願発明の「時間モード」に対応する。）と、画像の取得場所の情報に基づいて画像の存在を表示すること（配置の態様は、本願発明の「空間モード」に対応する。）とを切り替えて表示することが記載されている。
　また、一般にコンピュータにおいて複数の表示モードを有する場合に、ユーザの入力に応じて表示モードを切り替えることは周知である。
　したがって、引用発明の他のモードを周知の「空間モード」とし、制御入力を介した対応する入力に応答して、時間モードと空間モードとの間の切り替えを行うようにして本願発明のように構成することは当業者が容易になし得ることである。
　
相違点５について
　特開２００１−２６８４９０号公報（段落【００１２】〜【００２１】、【００２６】、【００４７】〜【００４８】、【００５７】〜【００６５】図３、図６、図７、ユーザがマップビューモードで表示された写真を編集したい場合、写真を選択してカタログモードに戻る。このときにカタログモードにおいて表示される写真は選択された写真と同じバッチのものである。）、特開２００１−２９２３９４号公報（段落【００３７】、【００５５】〜【００６３】図３、図６、図７、ユーザがマップビューモードで表示された写真を編集したい場合、写真を選択してカタログモードに戻る。このときにカタログモードにおいて表示される写真は選択された写真と同じバッチのものである。）にも記載されているように、特定の表示モードにおいて表示された複数のデータアイテムの内の特定のデータアイテムを選択すること、表示モードを変更しても選択されたデータアイテムを表示したままとすることは何れも周知であって、引用発明にこの周知技術を適用して、引用発明において、データアイテムを選択するコントロールを有し、前記選択されたデータアイテムは、時間モードと空間モードとの間の切り替えにおいて表示され続けるようにすることは当業者が容易になし得ることである。
　
相違点６について
　一般にコンピュータとしてどのようなコンピュータを採用するかは設計的事項であって、引用発明のコンピュータを周知の携帯型コンピュータとすることは当業者が適宜になし得ることである。
　
　そして、本願発明のように構成したことによる効果も引用発明、引用刊行物２、引用刊行物３の記載及び周知技術から予想できる程度のものであって、格別のものではない。
　
　したがって、本願発明（請求項１に係る発明）は、引用発明、引用刊行物２、引用刊行物３の記載及び周知技術に基づいて当業者が容易に発明をすることができたものである。
　
５．むすび
　以上のとおり、本願発明（請求項１に係る発明）は、引用発明、引用刊行物２、引用刊行物３の記載及び周知技術に基づいて当業者が容易に発明をすることができたものであるので、特許法第２９条第２項の規定により特許を受けることができない。
　したがって、本願は、その余の請求項について論及するまでもなく、拒絶すべきものである。
　よって、結論のとおり審決する。